(57)【要約】【課題】内容物を吐出可能な状態へ移行する際の操作性を向上させることができる吐出容器を提供する。【解決手段】容器本体２と、容器本体２に装着される装着キャップ３と、装着キャップ３に、上方付勢状態で貫設されたステム４を有するポンプ５と、ステム４に装着され、吐出孔が形成された押下ヘッド６と、下降端位置に位置する押下ヘッド６が螺着され、押下ヘッド６およびステム４の上方移動を規制する規制筒７と、を備える吐出容器１であって、口部２ａ、装着キャップ３、および規制筒７のうちの少なくとも１つに、上方移動が抑止された状態で取付けられた下側取付部材１１と、押下ヘッド６に、下方移動が規制された状態で取付けられた上側取付部材１２と、下側取付部材１１と上側取付部材１２とを連結し、この連結を分断するように破断可能な破断部１３ａが形成された連結部材と、を備えている。【選択図】図１
2018016402.tif 000002
【特許請求の範囲】
【請求項１】
内容物が収容される容器本体と、
前記容器本体の口部に装着される有頂筒状の装着キャップと、
前記装着キャップに、上方付勢状態で下方移動可能に貫設されたステムを有するポンプと、
前記ステムの上端に装着されるとともに、吐出孔が形成された押下ヘッドと、
下降端位置に位置する前記押下ヘッドが螺着され、前記押下ヘッドおよび前記ステムの上方移動を規制する規制筒と、を備える吐出容器であって、
前記口部、前記装着キャップ、および前記規制筒のうちの少なくとも１つに、上方移動が抑止された状態で取付けられた下側取付部材と、
前記押下ヘッドに、下方移動が規制された状態で取付けられた上側取付部材と、
前記下側取付部材と前記上側取付部材とを連結する連結部材と、を備え、
前記連結部材には、前記下側取付部材と前記上側取付部材との連結を分断するように破断可能な破断部が形成されていることを特徴とする吐出容器。
【請求項２】
前記下側取付部材は、前記装着キャップが内側に配設された筒状に形成され、
前記下側取付部材の内周面には、径方向の内側に向かうに従い漸次、上方に向けて延び、その上端縁が、前記装着キャップの下端開口縁に係止される係止突片が形成されていることを特徴とする請求項１に記載の吐出容器。
【請求項３】
前記上側取付部材は、前記押下ヘッドの上面に形成された凹部内に嵌合されていることを特徴とする請求項１又は２に記載の吐出容器。
【請求項４】
前記下側取付部材は、前記装着キャップが内側に配設された筒状に形成され、
前記下側取付部材には、該下側取付部材を周方向に分断するように破断可能な弱化部が形成されていることを特徴とする請求項１から３のいずれか１項に記載の吐出容器。
【発明の詳細な説明】
【技術分野】
【０００１】
本発明は、吐出容器に関するものである。
【背景技術】
【０００２】
従来、内容物が収容される容器本体と、容器本体の口部に装着される有頂筒状の装着キャップと、装着キャップに、上方付勢状態で下方移動可能に貫設されたステムを有するポンプと、ステムの上端に装着されるとともに、吐出孔が形成された押下ヘッドと、を備え、ポンプが、下降端位置に位置する押下ヘッドが螺着され、押下ヘッドおよびステムの上方移動を規制する規制筒を備えた吐出容器が知られている。
【０００３】
この種の吐出容器として、例えば下記特許文献１に示されるように、未使用時において意図的又は不意に加えられた外力によって内容物が吐出されてしまうことを防止するために、下降端位置に位置する押下ヘッドを覆うカバー筒を備える構成が知られている。
この吐出容器では、カバー筒に、弱化部によって除去帯が区画されていて、弱化部を破断し除去帯を除去することで、カバー筒のうち押下ヘッドを覆う上側部分を除去することが可能な状態となる。そしてカバー筒の上側部分を除去することで、押下ヘッドを規制筒に対して緩み方向に回転移動させることができる。
【先行技術文献】
【特許文献】
【０００４】
【特許文献１】特開２００６−８９１１０号公報
【発明の概要】
【発明が解決しようとする課題】
【０００５】
しかしながら、前記従来の吐出容器では、まずカバー筒の上側部分を除去した後に、押下ヘッドを規制筒に対して緩み方向に回転させ、押下ヘッドの規制筒に対する螺着を解除し、押下ヘッドをステムととともに上昇移動させるので、内容物を吐出可能な状態へ移行する際の操作性に改善の余地があった。
【０００６】
そこで本発明は、前述した事情に鑑みてなされたものであり、内容物を吐出可能な状態へ移行する際の操作性を向上させることができる吐出容器を提供することを目的とする。
【課題を解決するための手段】
【０００７】
前記課題を解決するために、本発明に係る吐出容器は、内容物が収容される容器本体と、前記容器本体の口部に装着される有頂筒状の装着キャップと、前記装着キャップに、上方付勢状態で下方移動可能に貫設されたステムを有するポンプと、前記ステムの上端に装着されるとともに、吐出孔が形成された押下ヘッドと、下降端位置に位置する前記押下ヘッドが螺着され、前記押下ヘッドおよび前記ステムの上方移動を規制する規制筒と、を備える吐出容器であって、前記口部、前記装着キャップ、および前記規制筒のうちの少なくとも１つに、上方移動が抑止された状態で取付けられた下側取付部材と、前記押下ヘッドに、下方移動が規制された状態で取付けられた上側取付部材と、前記下側取付部材と前記上側取付部材とを連結する連結部材と、を備え、前記連結部材には、前記下側取付部材と前記上側取付部材との連結を分断するように破断可能な破断部が形成されていることを特徴とする。
【０００８】
この発明によれば、押下ヘッドが、口部、装着キャップおよび規制筒のうちの少なくとも１つに、下側取付部材、上側取付部材、および連結部材を介して連結されているので、押下ヘッドが、口部、装着キャップ、および規制筒のうちの少なくとも１つに対して、容器軸回りに回転するのを抑止することが可能になり、押下ヘッドに対して不意に加えられた外力によって、押下ヘッドが規制筒に対して容器軸回りに沿う緩み側に回転するのを抑えることができる。
【０００９】
また、下側取付部材の上方移動が抑止され、かつ上側取付部材の下方移動が規制されているので、押下ヘッドを規制筒に対して緩み方向に回転させ、押下ヘッドの規制筒に対する螺着を解除し、押下ヘッドおよびステムを上方移動させたときに、連結部材に引張力を生じさせ破断部を破断することができる。これにより、その後、押下ヘッドをステムとともに押下して、再び押下ヘッドを規制筒に螺着したとしても、連結部材が分断していることで、押下ヘッドの規制筒に対する螺着が解除されたことがあるか否かを容易に判別することができる。
しかも、押下ヘッドを規制筒に対して緩み方向に回転するだけで、他の操作を行わず、連結部材を破断することが可能になり、内容物を吐出可能な状態へ移行する際の操作性を向上させることができる。
【００１０】
また、前記下側取付部材は、前記装着キャップが内側に配設された筒状に形成され、前記下側取付部材の内周面には、径方向の内側に向かうに従い漸次、上方に向けて延び、その上端縁が、前記装着キャップの下端開口縁に係止される係止突片が形成されてもよい。
この場合には、下側取付部材の内周面に、径方向の内側に向かうに従い漸次上方に向けて延び、その上端縁が装着キャップの下端開口縁に係止される係止突片が形成されているので、例えば、下側取付部材の下端部が、容器本体における口部の下端部に単に外嵌されているだけの構成と比べて、下側取付部材が装着キャップに対して上方移動するのを確実に抑えることができる。
【００１１】
また、前記上側取付部材は、前記押下ヘッドの上面に形成された凹部内に嵌合されてもよい。
この場合には、上側取付部材が、押下ヘッドの上面に形成された凹部内に嵌合されているので、例えば上側取付部材が、押下ヘッドの周壁部の外周面に形成された凹部内に嵌合されている構成と比べて、押下ヘッドが上方移動する際に、上側取付部材が押下ヘッドの凹部から外れて、押下ヘッドに対して下方移動するのを確実に抑えることができる。
【００１２】
また、前記下側取付部材は、前記装着キャップが内側に配設された筒状に形成され、前記下側取付部材には、該下側取付部材を周方向に分断するように破断可能な弱化部が形成されてもよい。
この場合には、弱化部を破断することで、装着キャップに外嵌された下側取付部材を周方向に分断することができ、容易に装着キャップから下側取付部材を除去することができる。これにより、例えば、前述のように押下ヘッドの規制筒に対する螺着を解除した後に、内容物を吐出するに際し、破断部の一部が残存した下側取付部材を取り外すことが可能になり、使用時の吐出容器の見映えの悪化を防ぐことができる。また、容器本体内に内容物を詰め替える際に、下側取付部材を取り外すことで、装着キャップを口部から容易に外すこと等が可能になる。
【発明の効果】
【００１３】
本発明によれば、内容物を吐出可能な状態へ移行する際の操作性を向上させることができる。
【図面の簡単な説明】
【００１４】
【図１】本発明の第１実施形態に係る吐出容器の要部の半縦断面図である。
【図２】図１に示す吐出容器の上面図である。
【図３】図１に示す吐出容器を組み立てる過程の第１工程を示す説明図である。
【図４】図１に示す吐出容器を組み立てる過程の第２工程を示す説明図である。
【図５】図１に示す下側取付部材、上側取付部材、および連結部材の、組み付ける前の状態を径方向の外側から見た側面図である。
【図６】図５に示す下側取付部材、上側取付部材、および連結部材の上面図である。
【図７】図５に示す下側取付部材の下面図である。
【図８】図５に示す下側取付部材、上側取付部材、および連結部材の縦断面図である。
【図９】図５に示す下側取付部材、上側取付部材、および連結部材のうち、下側取付部材の弱化部の変形例を示す側面図である。
【図１０】本発明の第２実施形態に係る吐出容器の要部の半縦断面図である。
【図１１】図１０に示す吐出容器において、下側取付部材、上側取付部材、および連結部材を組み付ける前の状態を示す上面図である。
【図１２】図１０に示す下側取付部材の上面図である。
【図１３】図１０に示す下側取付部材の縦断面図である。
【発明を実施するための形態】
【００１５】
（第１実施形態）
以下、図１から図９を参照して、本発明の第１実施形態に係る吐出容器１について説明する。
図１に示すように吐出容器１は、内容物が収容される容器本体２と、容器本体２の口部２ａに装着される有頂筒状の装着キャップ３と、装着キャップ３に、上方付勢状態で下方移動可能に貫設されたステム４を有するポンプ５と、ステム４の上端に装着されるとともに、吐出孔６ｇが形成された押下ヘッド６と、を備えている。
【００１６】
ここで、容器本体２、装着キャップ３、ステム４、および押下ヘッド６はそれぞれ、共通軸と同軸に配設されている。以下、この共通軸を容器軸Ｏといい、容器軸Ｏに沿う方向を上下方向といい、押下ヘッド６側を上側、その反対側を下側という。また、上下方向から見た平面視において、容器軸Ｏに直交する方向を径方向といい、容器軸Ｏ回りに周回する方向を周方向という。
【００１７】
ステム４および押下ヘッド６は、未使用の状態では、図１に示す下降端位置に位置しているとともに、押下ヘッド６が後述する規制筒７に螺着して保持されることで、上昇移動がともに規制されている。一方、ステム４および押下ヘッド６は、内容物を吐出可能な状態では、図示しない上昇端位置に位置している。そして、押下ヘッド６を押下してステム４を下方に移動させポンプ５を作動させることにより、容器本体２内の内容物が移送されて吐出孔６ｇから吐出される。
【００１８】
装着キャップ３は、環状の天壁部３ａを有する有頂筒状に形成され、容器本体２の口部２ａに螺着されている。口部２ａは、上面視で円形状を呈する。天壁部３ａは、後述するシリンダ８のフランジ部８ａ上に配置されている。天壁部３ａの内側には、シリンダ８のうちフランジ部８ａより上方に位置する突出筒部８ｂが、天壁部３ａの内周縁に対して隙間をあけた状態で挿通されている。
【００１９】
ポンプ５は、容器本体２の口部２ａ内に挿入された状態で装着キャップ３によって保持されるとともに、内側にステム４が上方に向けて立設されたシリンダ８と、シリンダ８の上端部に装着されるとともに、下降端位置に位置する押下ヘッド６が螺着され、押下ヘッド６およびステム４の上方移動を規制する規制筒７と、を備えている。
【００２０】
シリンダ８は、上端にフランジ部８ａが設けられた直筒部８ｃと、直筒部８ｃの上端から上方に向けて延び、フランジ部８ａより上方に位置する突出筒部８ｂと、を備えている。
フランジ部８ａは、直筒部８ｃの上端から径方向の外側に向けて突出し、直筒部８ｃの全周にわたって延びている。フランジ部８ａがシールリングを挟んで容器本体２の口部２ａの上端開口縁上に配置されている。
【００２１】
規制筒７は、有頂筒状をなしており、天壁７ａおよび周壁７ｂを有している。天壁７ａは、環状に形成され、その内側にはステム４が挿通されている。周壁７ｂの下端縁は、装着キャップ３の天壁部３ａの上面に当接あるいは近接している。また、規制筒７には、天壁７ａの下面から下方に向けて延びる内筒部７ｃと、天壁７ａの内周縁から上下両側に延びるガイド筒部７ｄと、が形成されている。
【００２２】
内筒部７ｃは、シリンダ８における突出筒部８ｂに対し、例えばアンダーカット嵌合により外嵌されている。内筒部７ｃの下端部は、装着キャップ３の天壁部３ａの内周縁と、突出筒部８ｂの外周面との間の隙間に配置されている。ガイド筒部７ｄの内側には、ステム４が挿通されている。ガイド筒部７ｄのうち天壁７ａとの接続部より下側の部分は、突出筒部８ｂの内側に配置されている。ガイド筒部７ｄのうち天壁７ａとの接続部より上側の部分の外周面には、押下ヘッド６の後述する本体筒部６ａに螺着する雄ネジ部が形成されている。図示の例では、雄ネジ部は、２条ネジとされている。なお、雄ネジ部は、１条ネジであってもよいし、条数が３以上の多条ネジであってもよい。
【００２３】
押下ヘッド６は、有頂筒状の本体筒部６ａと、本体筒部６ａの頂壁部から下方に向けて延設され、ステム４の上端に装着される装着筒部６ｂと、本体筒部６ａから径方向外側に突出するとともに内部が装着筒部６ｂ内に連通し、先端に吐出孔６ｇが形成されたノズル部６ｄと、装着筒部６ｂよりも径方向の外側において本体筒部６ａの頂壁部から下方に向けて延設され、規制筒７のガイド筒部７ｄに螺着されるネジ筒部６ｃと、を備えている。本体筒部６ａ、装着筒部６ｂおよびネジ筒部６ｃは、容器軸Ｏと同軸に配設されている。
【００２４】
本体筒部６ａの周壁部は、規制筒７の周壁７ｂよりも大径に形成されている。本体筒部６ａの周壁部の下端部は、規制筒７の天壁７ａに対して天壁７ａの上方から近接している。なお、例えば本体筒部６ａの周壁部の外径を、規制筒７の周壁７ｂの外径と同等とする等によって、本体筒部６ａの周壁部の下端縁を、規制筒７の天壁７ａに対して天壁７ａの上方から当接させてもよい。
装着筒部６ｂは、ステム４の内側に密に嵌合している。装着筒部６ｂの外周面には、上下方向に沿って延在する縦リブが周方向に間隔を空けて複数形成されている。縦リブの下端縁は、ステム４の上端開口縁に上方から当接している。
ネジ筒部６ｃの内周面には、規制筒７の雄ネジ部に螺着する雌ネジ部が形成されている。ネジ筒部６ｃは、押下ヘッド６が下降端位置に位置しているときに、規制筒７に螺着される。
【００２５】
そして本実施形態では、吐出容器１は、装着キャップ３に上方移動が抑止された状態で取付けられた下側取付部材１１と、押下ヘッド６に、下方移動が規制された状態で取付けられた上側取付部材１２と、これらの下側取付部材１１と上側取付部材１２とを連結する連結部材１３と、を備えている。下側取付部材１１、上側取付部材１２、および連結部材１３は、合成樹脂材料により一体に形成されている。なお、下側取付部材１は、口部２ａおよび規制筒７のうちのいずれかに、上方移動が抑止された状態で取付けられてもよい。
【００２６】
下側取付部材１１は、装着キャップ３が内側に配設された筒状に形成されている。
下側取付部材１１の内周面には、径方向の内側に向かうに従い漸次、上方に向けて延び、その上端縁が、装着キャップ３の下端開口縁に係止される係止突片１１ａが形成されている。図５および図７に示すように、係止突片１１ａは、筒状をなす下側取付部材１１の下端開口縁に、周方向に間隔を空けて複数形成されている。図示の例では、係止突片１１ａは、周方向に等間隔を空けて８つ形成されている。
【００２７】
係止突片１１ａは、下側取付部材１１を装着キャップ３に取付ける前の状態では、下側取付部材１１の下端開口縁から、下方に向けて真直ぐ突出している。係止突片１１ａは、径方向から見て、周方向に長い長方形状の板状に形成されている。
図８に示すように、下側取付部材１１の下端部における内周面には、径方向の外側に向けて窪む収容部１１ｂが全周にわたって連続して形成されている。収容部１１ｂは、下側取付部材１１の下端開口縁に至り、下方に向けて開口している。下側取付部材１１を装着キャップ３に取付ける前の状態では、収容部１１ｂの内周面と、係止突片１１ａの径方向の内側を向く内側面とは、面一となっている。
【００２８】
収容部１１ｂの上下方向の大きさは、係止突片１１ａの上下方向の大きさよりも大きくなっている。下側取付部材１１の内周面のうち、収容部１１ｂよりも上方に位置する部分から収容部１１ｂまでの径方向の大きさ、つまり収容部１１ｂの深さが、係止突片１１ａの径方向の大きさ以上となっている。
係止突片１１ａは、下側取付部材１１を装着キャップ３へ取付ける過程において、係止突片１１ａの上端縁が上方を向くように、下側取付部材１１の下端開口縁との接続部分を中心として、径方向の内側に向けて回動し、収容部１１ｂ内に収容される（図３参照）。
【００２９】
図８に示すように、下側取付部材１１の内周面には、上下方向に真直ぐ延びる縦条１１ｃが形成されている。縦条１１ｃは、径方向の内側に向けて突をなし、下側取付部材１１の上下方向の中央部から上端開口縁まで延びている。図７および図８に示すように、縦条１１ｃは、周方向に間隔をあけて複数形成されている。
【００３０】
図５に示すように、下側取付部材１１には、下側取付部材１１を周方向に分断するように破断可能な弱化部１１ｄが形成されている。弱化部１１ｄの少なくとも一部は、下側取付部材１１の外周面に溝状に形成され、下側取付部材１１の径方向の厚みを薄くしている。
弱化部１１ｄは、下側取付部材１１において、上端開口縁から下方に向けて延びる第１縦溝と、第１縦溝の下端部から周方向の一方側に向けて延びる周溝と、周溝の前記一方側の端部から、下側取付部材１１の下端開口縁に向けて延びる第２縦溝と、を備えている。第１縦溝の上端部には、下側取付部材１１を径方向に貫通するスリットが形成されている。周溝は、下側取付部材１１の下端部における外周面に形成されている。
【００３１】
弱化部１１ｄは、下側取付部材１１のうち、連結部材１３が接続された部分から周方向に離れた部分の外周面に形成されている。
なお、弱化部１１ｄとしてはこのような態様に限られず、例えば図９に示すように、上下方向に真直ぐ延びる縦溝１１ｆが、周方向に間隔を空けて２つ形成されているような構成等であってもよい。
【００３２】
図６および図７に示すように、下側取付部材１１の上端部には、径方向の内側に向けて突出する天板１４が形成されている。天板１４は、下側取付部材１１と一体に形成されている。図８に示すように、天板１４の上面と、下側取付部材１１の上端開口縁と、が面一となっている。
図６および図７に示すように、天板１４は、下側取付部材１１に周方向に互いに隣接するように複数配置されている。図示の例では、天板１４は４つ配設され、互いに同等の形状をなしている。なお、互いに隣り合う天板１４同士の間に隙間が設けられてもよいし、複数の天板１４は、互いに異なる形状をなしてもよい。
【００３３】
天板１４は、下側取付部材１１の内周面に沿って湾曲する保持板部１５と、下側取付部材１１の内周面と保持板部１５の外周縁とを接続する接続片１６ａ、１６ｂと、を備えている。保持板部１５および接続片１６ａ、１６ｂは、一体に形成されている。保持板部１５の周方向の両端部は、周方向の外側に向けて突をなしている。
接続片１６ａ、１６ｂは、保持板部１５の外周縁における周方向の中央部に接続された第１接続片１６ａと、保持板部１５の外周縁のうち、周方向の中央部と周方向の両端部との間に位置する中間部に各別に接続された２つの第２接続片１６ｂと、を備えている。
【００３４】
第１接続片１６ａは、上面視において、径方向に真直ぐ延びる矩形状を呈する。第２接続片１６ｂは、上面視において、径方向の内側から外側に向かうに従い漸次、周方向の大きさが小さくなる台形状を呈する。保持板部１５および接続片１６、１６ｂの径方向の大きさは互いに同等となっている。
また、周方向で互いに隣り合う各接続片１６ａ、１６ｂ同士の周方向の間隔は、互いに同等となっている。
【００３５】
図１に示すように、押下ヘッド６における本体筒部６ａの頂壁部には、上面視で円形状をなす凹部６ｅが形成されている。凹部６ｅは容器軸Ｏと同軸に配置されている。
図２に示すように、上側取付部材１２は有頂円筒状をなしている。本体筒部６ａの凹部６ｅの内径は、上側取付部材１２の外径と同等となっている。なお、凹部６ｅの内径は、上側取付部材１２の外径よりも僅かに大きくても僅かに小さくてもよい。
本実施形態では、上側取付部材１２は、本体筒部６ａの凹部６ｅ内に嵌合されている。図示の例では、上側取付部材１２は、凹部６ｅ内にアンダーカット嵌合されている。
【００３６】
凹部６ｅの内周面のうち、押下ヘッド６の吐出孔６ｇが外側に向けて開口する開口方向と同方向を向く面には、径方向の外側に向けて延びる収容溝６ｆが形成されている。ここで、本体筒部６ａの頂壁部の上面における外周縁部は、径方向の外側に向かうに従い漸次、下方に向けて延びており、収容溝６ｆは、径方向のうち、前記開口方向と逆方向に開口している。
【００３７】
図１に示すように、連結部材１３は、下部が上下方向に延び、かつ上部が上方に向かうに従い漸次、径方向の内側に向けて延びる帯状に形成されている。連結部材１３の上端部は、収容溝６ｆに収容されている。幅方向が周方向と一致している。連結部材１３の下端部は、下側取付部材１１の上端開口縁に接続され、連結部材１３の上端部は、収容溝６ｆに収容された状態で、上側取付部材１２の外周面に接続されている。
【００３８】
連結部材１３には、下側取付部材１１と上側取付部材１２との連結を分断するように破断可能な破断部１３ａが形成されている。破断部１３ａは、連結部材１３の幅を狭くすることで形成されている。図示の例では、連結部材１３の幅方向は、周方向と一致している。また、破断部１３ａは連結部材１３の上端部および下端部に形成されている。破断部１３ａの破断強度は、下側取付部材１１が、装着キャップ３に対して上方移動するのに要する引き上げ力より小さくなっている。
【００３９】
次に、下側取付部材１１、上側取付部材１２、および連結部材１３を、容器本体２へ組み付ける手順について説明する。
まず、押下ヘッド６およびステム４が下降端位置に位置している状態で、下側取付部材１１を、容器軸Ｏに対して傾けた状態で、その下端開口にノズル部６ｄを通す。その後、下側取付部材１１を、容器軸Ｏと同軸に位置させつつ下降させ、押下ヘッド６を通過させ、装着キャップ３に外嵌する。
この際、下側取付部材１１における複数の係止突片１１ａを、下側取付部材１１の下端開口縁との接続部分を中心として径方向の内側に屈曲し、係止突片１１ａの上端縁を上方に向ける。これにより、図３に示すように、係止突片１１ａは、収容部１１ｂ内に収容される。また、天板１４の保持板部１５が、装着キャップ３の天壁部３ａ上に配置される。
【００４０】
ここで、下側取付部材１１および装着キャップ３の周方向の相対的な位置は、連結部材１３が、吐出孔６ｇの前記開口方向と反対側に向けて下側取付部材１１から突出する位置に合わせる。なおこの際、下側取付部材１１の縦条１１ｃを、装着キャップ３の外周面に当接することで、下側取付部材１１の装着キャップ３に対する相対回転が抑止される。また、上側取付部材１２は上下反転しており、前述の下端開口は上方を向いている。
【００４１】
次に、下側取付部材１１を、図３に示す状態から更に下降させると、天板１４に装着キャップ３の天壁部３ａの上面から、上方に向けた力が加えられる。このため、天板１４の第１接続片１６ａおよび第２接続片１６ｂが、上方に向けて屈曲され、保持板部１５が第１接続片１６ａおよび第２接続片１６ｂを中心として上方に向けて回動し、図４に示すように、下側取付部材１１の上端開口縁から上方に突出する。なおこの際、第２接続片１６ｂが破断されてもよい。
【００４２】
そして、下側取付部材１１の係止突片１１ａの上端縁が、装着キャップ３の下端開口縁よりも下方に位置すると、係止突片１１ａは径方向の内側に向けて復元変位する。これにより、係止突片１１ａの上端縁が、装着キャップ３の下端開口縁の下方に位置する部分に配置され、係止突片１１ａの上端縁と、装着キャップ３の下端開口縁とが、上下方向に近接又は当接した状態となる。
またこの際、係止突片１１ａと容器本体２の口部２ａとの間には、径方向の隙間が設けられている。なお、係止突片１１ａは、口部２ａと径方向に当接していてもよい。
【００４３】
最後に、図１に示すように、上側取付部材１２を押下ヘッド６の凹部６ｅ内に嵌合させる。この際、径方向に向けて延びる連結部材１３を上方に向けて湾曲させ、上側取付部材１２の下端開口を凹部６ｅの底面と対向させた状態で、上側取付部材１２の頂部を下方に向けて押圧し、凹部６ｅ内に嵌合させる。この際、図２に示すように、収容溝６ｆに連結部材１３の上端部が収容される。
【００４４】
次に、吐出容器１を、内容物を吐出可能な状態へ移行する際の手順について説明する。
押下ヘッド６を規制筒７に対して緩み方向に回転させながら上方へ移動させると、収容溝６ｆに収容された連結部材１３の上端部は、押下ヘッド６の回転に伴い周方向に変位しながら上方に変位し、連結部材１３は上下方向に引っ張られるとともに、周方向に捩じれていく。その後、押下ヘッド６が上方および周方向に一定量変位した際に、連結部材１３の破断部１３ａが破断される。その後、押下ヘッド６およびステム４が、ステム４に加えられている上方付勢力によって上昇端位置に移動され、内容物を吐出可能な状態となる。なお、連結部材１３を予め引っ張ることで破断部１３ａを破断させた後に、押下ヘッド６を規制筒７に対して回転させてもよい。
【００４５】
以上説明したように、本実施形態に係る吐出容器１によれば、押下ヘッド６が、装着キャップ３に下側取付部材１１、上側取付部材１２、および連結部材１３を介して連結されている。このため、押下ヘッド６が、口部２ａ、装着キャップ３、および規制筒７のうちの少なくとも１つに対して、容器軸回りに回転するのを抑止することが可能になり、押下ヘッド６に対して不意に加えられた外力によって、押下ヘッド６が規制筒７に対して容器軸回りに沿う緩み側に回転するのを抑えることができる。
【００４６】
また、下側取付部材１１の上方移動が抑止され、かつ上側取付部材１２の下方移動が規制されている。このため、押下ヘッド６を規制筒７に対して緩み方向に回転させ、押下ヘッド６の規制筒７に対する螺着を解除し、押下ヘッド６およびステム４を上方移動させたときに、連結部材１３に引張力を生じさせ破断部１３ａを破断することができる。
これにより、その後、押下ヘッド６をステム４とともに押下して、再び押下ヘッド６を規制筒７に螺着したとしても、連結部材１３が分断していることで、押下ヘッド６の規制筒７に対する螺着が解除されたことがあるか否かを容易に判別することができる。
しかも、押下ヘッド６を規制筒７に対して緩み方向に回転するだけで、他の操作を行わず、連結部材１３を破断することが可能になり、内容物を吐出可能な状態へ移行する際の操作性を向上させることができる。
【００４７】
また、下側取付部材１１が、装着キャップ３が内側に配設された筒状に形成され、下側取付部材１１の内周面に、径方向の内側に向かうに従い漸次上方に向けて延び、その上端縁が装着キャップ３の下端開口縁に係止される係止突片１１ａが形成されている。このため、例えば、下側取付部材１１の下端部が、容器本体２における口部２ａの下端部に単に外嵌されているだけの構成と比べて、下側取付部材１１が装着キャップ３に対して上方移動するのを確実に抑えることができる。
【００４８】
また、上側取付部材１２が、押下ヘッド６の上面に形成された凹部６ｅ内に嵌合されている。このため、例えば上側取付部材１２が、押下ヘッド６の周壁部の外周面に形成された凹部内に嵌合されている構成と比べて、押下ヘッド６が上方移動する際に、上側取付部材１２が押下ヘッド６の凹部６ｅから外れて、押下ヘッド６に対して下方移動するのを確実に抑えることができる。
【００４９】
また、下側取付部材１１は、装着キャップ３が内側に配設された筒状に形成され、下側取付部材１１には、下側取付部材１１を周方向に分断するように破断可能な弱化部１１ｄが形成されている。このため、弱化部１１ｄを破断することで、装着キャップ３に外嵌された下側取付部材１１を周方向に分断することができ、容易に装着キャップ３から下側取付部材１１を除去することができる。これにより、例えば、前述のように押下ヘッド６の規制筒７に対する螺着を解除した後に、内容物を吐出するに際し、破断部１３ａの一部が残存した下側取付部材１１を取り外すことが可能になり、使用時の吐出容器１の見映えの悪化を防ぐことができる。また、容器本体２内に内容物を詰め替える際に、下側取付部材１１を取り外すことで、装着キャップ３を口部２ａから容易に外すこと等が可能になる。
【００５０】
（第２実施形態）
次に、図１０〜図１３を参照し、本発明の第２実施形態に係る吐出容器１０について説明する。
なお、以下の説明において第１実施形態と同一の構成については同一の符号を付し、その説明を省略する。また、同一の作用についてもその説明を省略する。
【００５１】
吐出容器１０では、図１０に示すように、下側取付部材２１の下端部が、容器本体２２における口部２２ａの下端部２２ｂ内に嵌合されている。口部２２ａのうち、下端部２２ｂは、他の部分より外径が大きくなっている。口部２２ａの下端部２２ｂは、図１１に示すように、上面視で角形状を呈する。
図１２および図１３に示すように、下側取付部材２１の下端部における内周面（以下、嵌合部という）２１ａは、上面視において角形状を呈する。嵌合部２１ａの形状は、容器本体２における口部２２ａの下端部２２ｂの外周面と同じ形状で同等の大きさとなっている。嵌合部２１ａに、口部２２ａの下端部２２ｂが嵌合されることで、下側取付部材２１の装着キャップ３に対する相対回転が規制される。図１０に示すように、嵌合部２１ａは、口部２２ａの下端部２２ｂよりも上下方向に大きくなっている。
【００５２】
図１２および図１３に示すように、下側取付部材２１の内周面において、嵌合部２１ａの上方に位置する部分には、径方向の内側に向けて突出し、周方向に延びる係止突部２１ｂが形成されている。係止突部２１ｂは周方向に間隔を空けて複数形成されている。図示の例では、係止突部２１ｂは、周方向に等間隔を空けて４つ形成されている。また、下側取付部材２１の内周面において、係止突部２１ｂの上方に位置する部分は、平滑に形成されている。
図１０に示すように、係止突部２１ｂは、下側取付部材２１が装着キャップ３に外嵌された状態で、装着キャップ３の下端開口縁に下方から係止される。これにより、下側取付部材２１が、装着キャップ３に上方移動が抑止された状態で取付けられる。
また、吐出容器１０では、破断部２３ａは連結部材２３の上端部にのみ形成されている。
【００５３】
本発明は上記した実施の形態に限定されるものではなく、その趣旨を逸脱しない範囲で適宜変更可能である。
【００５４】
例えば、上記実施形態においては、下側取付部材１１、２１に形成された係止突片１１ａ又は係止突部２１ｂが、装着キャップ３の下端開口縁に係止されることで、下側取付部材１１、２１が、上方移動が抑止された状態で装着キャップ３に取付けられた構成を示したが、このような態様に限られない。下側取付部材は、容器本体の口部、装着キャップ、および規制筒のうちの少なくとも１つに、例えば締り嵌めの状態等で、上方移動が抑止された状態で取付けられてもよい。このような場合には、弱化部の破断強度は、下側取付部材が、口部、装着キャップ、および規制筒のうちの少なくとも１つに対して上方移動するのに要する引き上げ力より小さくなっていればよい。
また、下側取付部材の係止突片は、装着キャップ３の下端開口縁ではなく、例えば装着キャップの外周面に周方向に沿って形成された被係止溝等に係止されるような構成であってもよい。
【００５５】
また、上記実施形態においては、上側取付部材１２は、押下ヘッド６の上面に形成された凹部６ｅ内に嵌合されている構成を示したが、このような態様に限られない。押下ヘッドに凹部が形成されなくてもよいし、上側取付部材は押下ヘッドの上面ではなく、例えば側面に取付けられてもよい。
また、上記実施形態においては、下側取付部材１１に、下側取付部材１１を周方向に分断可能に破断する弱化部１１ｄが形成された構成を示したが、このような態様に限られない。下側取付部材に弱化部が形成されなくてもよい。
また、上記実施形態の規制筒７はポンプ５に備えられていたが、本発明はこれに限られず、例えば装着キャップ３に備えられた規制筒７を採用してもよい。
【００５６】
また、上記第１実施形態においては、下側取付部材１１、上側取付部材１２、および連結部材１３が一体に形成された構成を示したが、このような態様に限られない。下側取付部材、上側取付部材、および連結部材のうち、少なくとも一部が別体で形成されてもよい。
また、上記第１実施形態においては、口部２ａが上面視で円形状を呈する構成を示したが、このような態様に限られない。口部の下端部を上面視で角形状とし、この下端部の外周面に下側取付部材の係止突片を当接させることで、口部に対する下側取付部材の相対回転を抑止してもよい。
【００５７】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５８】
１，１０  吐出容器
２  容器本体
２ａ  口部
３  装着キャップ
４  ステム
５  ポンプ
６  押下ヘッド
６ｅ  凹部
７  規制筒
１１、２１  下側取付部材
１１ａ  係止突片
１１ｄ  弱化部
１２  上側取付部材
１３  連結部材
１３ａ  破断部
【図１】
2018016402.tif 000003
【図２】
2018016402.tif 000004
【図３】
2018016402.tif 000005
【図４】
2018016402.tif 000006
【図５】
2018016402.tif 000007
【図６】
2018016402.tif 000008
【図７】
2018016402.tif 000009
【図８】
2018016402.tif 000010
【図９】
2018016402.tif 000011
【図１０】
2018016402.tif 000012
【図１１】
2018016402.tif 000013
【図１２】
2018016402.tif 000014
【図１３】
2018016402.tif 000015